(57)【要約】【課題】本発明は擬似障害発生装置に関し、プリント板内の被試験対象信号に対して、擬似障害（擬似故障）を発生させる前に信号の論理を測定し、その結果と反対の論理を被試験対象信号に与えることができるようにする。【解決手段】擬似的に故障を発生させる擬似故障発生手段５１を有し、該擬似故障発生部５１に、被試験対象信号の論理を測定する電圧センス部を設けると共に、電圧センス部の測定結果を受け取る電圧センス結果受信部と、外部からの指示に基づき、擬似的に故障を発生させる制御を行う擬似故障発生制御手段を備え、電圧センス部で論理を測定した結果を、擬似故障発生制御部５２へ送り、得られた論理と反対の論理を前記被試験対象信号に与えることで擬似的故障を発生させる機能を備えている。【選択図】        図１
2004178230.tif 000002
【特許請求の範囲】
【請求項１】
コンピュータに搭載されたプリント板に対し、外部からの指示に基づいて擬似的に障害を発生させる擬似障害発生装置において、
障害を発生させるポイントの電位を事前に検出する電位検出手段と、
前記電位検出手段により検出した電位と反対の論理の電位を与えることで前記プリント板に対し擬似的に障害を発生させる擬似障害発生手段を備えていることを特徴とする擬似障害発生装置。
【請求項２】
コンピュータに搭載されたプリント板に対し、外部からの指示に基づいて擬似的に障害を発生させる擬似障害発生装置において、
擬似的に故障を発生させる擬似故障発生手段を有し、該擬似故障発生手段に、被試験対象信号の論理を測定する電圧センス部を設けると共に、
前記電圧センス部の測定結果を受け取る電圧センス結果受信部と、
外部からの指示に基づき、擬似的に故障を発生させる制御を行う擬似故障発生制御手段を備え、
前記電圧センス部で論理を測定した結果を、前記擬似故障発生制御手段へ送り、得られた論理と反対の論理を前記被試験対象信号に与えることで擬似的故障を発生させる機能を備えていることを特徴とする擬似障害発生装置。
【請求項３】
コンピュータに搭載されたプリント板に対し、外部からの指示に基づいて擬似的に障害を発生させる擬似障害発生方法において、
前記プリント板内の被試験対象信号に対して、擬似故障を発生させる前に、前記信号の論理を測定する第１のステップと、
前記測定の結果と反対の論理を前記被試験対象信号に与えることで、前記プリント板内の試験対象信号の論理を意図的に固定し、コンピュータに擬似故障を発生させる第２のステップと、
を有することを特徴とする擬似障害発生方法。
【発明の詳細な説明】
【０００１】
【発明の属する技術分野】本発明は、大型コンピュータ、中型コンピュータ、ワークステーション、パーソナルコンピュータ、ファイル装置、ネットワーク装置等の任意のコンピュータと、その周辺装置に搭載されたプリント板（ＬＳＩ等を搭載したマザーボードなど）を対象として、擬似故障等の擬似的な障害を発生することで、前記コンピュータの実装段階での動作確認等のテストを行う場合に使用する擬似障害発生装置及び擬似障害発生方法に関するものである。
【０００２】
特に、本発明は大型コンピュータに適用して有効なものであり、大型コンピュータに搭載されたプリント板に対し、外部からの指示に基づいて擬似的に障害（例えば、擬似故障）を発生させる擬似障害発生装置及び擬似障害発生方法に関するものである。また、大型コンピュータに搭載されたプリント板に対し、その論理を外部から強制的に変化させることにより、プリント板の動作を検証する際に有用なものである。
【０００３】
【従来の技術】以下、従来例について説明する。
【０００４】
（１）  ：従来例の説明
従来、大型コンピュータに搭載されたプリント板に対して、信号の論理を外部から強制的に‘０’、若しくは‘１’に固定させることで、プリント板内に搭載されたＬＳＩが故障した状態を作り出し、大型コンピュータが持つ冗長化機能や、故障状態からの自動復帰機能を検証することが行なわれていた。
【０００５】
この場合、プリント板に対して擬似的に故障を発生させる為の装置として、特許文献１や特許文献２に記載された装置が知られていた。これらの装置では、試験対象の信号線にプローブを接触させ、プローブの電圧レベルをプローブに接続した制御手段から強制的にドライブさせることで、擬似的に信号線の故障状態を発生させている。
【０００６】
（２）  ：従来例１（特許文献１参照）の詳細な説明
図４は従来例１の説明図である。以下、前記特許文献１の一部を従来例１として説明する。
【０００７】
▲１▼：擬似故障発生装置β内の操作部１２から操作者１１によりあるいは通信インターフェース部１４を介して外部に接続された外部コンピュータ１３より擬似故障発生装置βに目的の試験対象信号線Ｘａａ〜Ｘｎｎを選択するドライブアドレスデータ及び試験対象信号線Ｘａａ〜Ｘｎｎの駆動情報となるドライブデータ信号Ｓ１、Ｓ２が入力され、演算等処理された制御信号３として制御部１５に蓄積される。
【０００８】
制御部１５は、操作部１２あるいは通信インターフェース部１４を介して操作者１１あるいは外部コンピュータ１３からドライブ開始信号を受けた場合、蓄積された制御信号Ｓ３を送信部１６に送る。送信部１６は入力されたドライブ情報データに係る制御信号Ｓ３を長距離伝送可能な電気的又は光電磁的伝送媒体の制御信号Ｓ３′に変換して遠隔伝送線路Ｃａ〜Ｃｎを介してドライブアドレスデータに対応する各ドライブ部Ｂａ〜Ｂｎに転送する。
【０００９】
各ドライブ部Ｂａ〜Ｂｎは、遠隔伝送線路Ｃａ〜Ｃｎを介して送られてきた制御信号Ｓ３′を各ドライブアドレスデータに対応するドライブ部Ｂａ〜Ｂｎに設けられた受信部１７ａ〜１７ｎにてそれぞれ受信し、電気信号Ｓａに変換して各ドライブ制御部１８ａ〜１８ｎに送る。各ドライブ制御部１８ａ〜１８ｎでは送られてきた電気信号Ｓａに従ってドライブ操作信号Ｓｂを出力してドライブ回路部１９ａ〜１９ｎを駆動する。
【００１０】
ドライブ回路部１９ａ〜１９ｎでは、ドライブ制御部１８ａ〜１８ｎからのドライブ操作信号Ｓｂに従ってドライブ信号Ｓ４を出力し、その結果ドライブアドレスデータに対応するそれぞれの接続部Ｄａａ〜Ｄｎｎを介して接続された電子交換処理装置Ｘａ〜Ｘｎの試験対象線Ｘａａ〜Ｘｎｎに接続される回路パッケージ９ａａ〜９ｎｎ上に実装された動作中のＩＣ等の電子部品１０ａａａ〜１０ｎｎｎの出力段に電流を流して駆動することにより、すなわち試験対象信号線Ｘａａ〜Ｘｎｎの信号レベルが目的とする信号レベルより低いときは電流を流し入れ、高いときは電流を引き込むことにより目的とする信号レベルに強制的に変化させる。
【００１１】
▲２▼：本発明によれば、ドライブ部と被試験装置の試験対象信号線間の電気的接続距離を短縮し、プローブのケーブル引回しによる試験信号の波形の劣化や歪み等が発生しないため、高速スイッチング動作を行う被試験装置に対しても擬似的に故障を発生させて試験を行うことが可能となる。
【００１２】
（３）  ：従来例２（特許文献２参照）の詳細な説明
図５は従来例２の説明図である。以下、前記特許文献２の一部を従来例２として説明する。
【００１３】
▲１▼：電子回路装置Ｅ２内の擬似故障を発生させたい信号線Ｌ２及びＩＣ４（Ｉ４）の電圧源ピン（Ｖｃｃ）Ｖ１、グランドピン（ＧＮＤ）Ｖ２とスイッチ部１０のスイッチ１０ａを構成するそれぞれの信号線接続用可動接点１０ｂ、電圧源接続用固定接点１０ｃ、グランド接続用固定接点１０ｄとを接続部１１の信号線用接続線１１ａ及び電圧源用接続線１１ｂ、１１ｃによって電気的に接続する。
【００１４】
次に、外部入力１２より設定された時系列のスイッチ１０ａのＯＮ／ＯＦＦタイミング設定値Ｕのデータを外部入力線１３を介し設定部９ｃに送る。設定部９ｃは送られたＯＮ／ＯＦＦタイミング設定値Ｕをタイミング設定信号転送線１５を介して記憶部９ｂにタイミング設定信号Ｓ２として送り、記憶部９ｂに記憶させる。
【００１５】
また、設定部９ｃは外部入力１２から外部入力線１３を介してスタック故障種別（０スタック又は１スタック）及び故障発生開始指示を受けた場合、故障発生信号転送線１４を通してスイッチ制御部９ａに故障発生信号Ｓ１を送る。但し故障発生信号Ｓ１はスタック故障種別及び故障発生開始指示からなる。この故障発生信号Ｓ１を受けてスイッチ制御部９ａはスタック故障種別及び記憶部９ｂに記憶されたタイミング設定信号Ｓ２に従って、スイッチ制御信号Ｓ３をスイッチ制御信号転送線１６を通してスイッチ部１０に送る。
【００１６】
スイッチ部１０は受信したスイッチ制御信号Ｓ３に従って、スイッチ１０ａの信号線接続用可動接点１０ｂがグランド接続用固定接点１０ｃか電圧源接続用固定接点１０ｄの択一接触を行うＯＮ方向及びスイッチ１０ａのＯＮ／ＯＦＦのタイミングを時系列で制御する。
【００１７】
スイッチ１０ａの信号線接続用可動接点１０ｂが電圧源接続用固定接点１０ｃかグランド接続用固定接点１０ｄいずれかのＯＮ時には、制御部１１を通して接続された信号線Ｌ２に繋がった作動中のＩＣ３（Ｉ３）の出力段に信号線Ｌ２の信号電圧レベルがグランドピン（ＧＮＤ）Ｖ２又は電圧源ピンＶ１と等しくなるように電流が流れることによって信号電圧レベルを電圧源ピン（Ｖｃｃ）Ｖ１又はグランドピン（ＧＮＤ）Ｖ２に印加されている電圧レベルと等しくなるよう強制的に変化させる。
【００１８】
スイッチ１０ａの信号線接続用可動接点１０ｂが中立位置にあるＯＦＦ時には、接続された信号線Ｌ２には接続部１１の分岐長だけとなり、信号線Ｌ２の信号への影響はドライブ機能を用いた従来の擬似故障発生装置αと比べても小さく済ますことができる。
【００１９】
▲２▼：本発明によれば、電子回路装置の改造や延長パッケージの使用をすることなく外部から作動中の電子回路装置内の信号線に任意の時系列の擬似的故障状態を発生することができるとともに、スイッチＯＮ／ＯＦＦのタイミングを時系列で自由に制御できるので、間欠擬似故障の発生、時系列を持つ複雑な擬似故障の発生、クーリング時間を持たせた擬似故障の発生を起こすことができる。
【００２０】
【特許文献１】
特開平６−２２５００３号公報
【特許文献２】
特開平６−３３７２８１号公報
【００２１】
【発明が解決しようとする課題】前記のような従来のものにおいては、次のような課題があった。
【００２２】
すなわち、前記従来例１、２（特許文献１、２）に記載された装置では、被試験対象信号の現在の論理に関わらず、‘０’、若しくは‘１’に固定してしまうため、論理が‘０’、‘１’に固定するということが発生していた。この結果、擬似的に障害を発生させようとしても、何も起こらない、ということが発生するため、試験効率が悪化したり、冗長化機能等の動作が検証できないという課題が発生していた。
【００２３】
本発明はこのような従来の課題を解決し、プリント板内の被試験対象信号の論理を意図的に固定することで、各種コンピュータに擬似故障を発生させる装置において、プリント板内の被試験対象信号に対して、擬似故障を発生させる前に、信号の論理を測定し、その結果と反対の論理を被試験対象信号に与えられることで、擬似的な障害を確実に発生できるようにすることを目的とする。
【００２４】
【課題を解決するための手段】本発明は前記の目的を達成するため、次のように構成した。
【００２５】
（１）  ：コンピュータに搭載されたプリント板に対し、外部からの指示に基づいて擬似的に障害を発生させる擬似障害発生装置において、障害を発生させるポイントの電位を事前に検出する電位検出手段と、前記電位検出手段により検出した電位と反対の論理の電位を与えることで前記プリント板に対し擬似的に障害を発生させる擬似障害発生手段を備えていることを特徴とする。
【００２６】
（２）  ：コンピュータに搭載されたプリント板に対し、外部からの指示に基づいて擬似的に障害を発生させる擬似障害発生装置において、擬似的に故障を発生させる擬似故障発生手段を有し、該擬似故障発生手段に、被試験対象信号の論理を測定する電圧センス部を設けると共に、前記電圧センス部の測定結果を受け取る電圧センス結果受信部と、外部からの指示に基づき、擬似的に故障を発生させる制御を行う擬似故障発生制御手段を備え、前記電圧センス部で論理を測定した結果を、前記擬似故障発生制御手段へ送り、得られた論理と反対の論理を前記被試験対象信号に与えることで擬似的故障を発生させる機能を備えていることを特徴とする。
【００２７】
（３）  ：コンピュータに搭載されたプリント板に対し、外部からの指示に基づいて擬似的に障害を発生させる擬似障害発生方法において、前記プリント板内の被試験対象信号に対して、擬似故障を発生させる前に、前記信号の論理を測定する第１のステップと、前記測定の結果と反対の論理を前記被試験対象信号に与えることで、前記プリント板内の試験対象信号の論理を意図的に固定し、コンピュータに擬似故障を発生させる第２のステップと、を有することを特徴とする。
【００２８】
（作用）
前記構成に基づく本発明の作用を説明する。
【００２９】
（ａ）  ：前記（１）  では、電位検出手段は障害を発生させるポイントの電位を事前に検出する。その後、擬似障害発生手段は、前記電位検出手段により検出した電位と反対の論理の電位を与えることでプリント板に対し擬似的に障害を発生させる。
【００３０】
このようにすれば、プリント板内の試験対象信号の論理を意図的に固定することで、各種コンピュータに擬似障害を発生させることができる。この場合、擬似障害を発生させる前に、障害を発生させるポイントの電位を測定し、その結果と反対の論理の電位を被試験対象信号に与えることで、擬似障害を確実に発生させることが可能になる。
【００３１】
（ｂ）  ：前記（２）  では、電圧センス部で論理を測定した結果を、擬似故障発生制御手段へ送り、得られた論理と反対の論理を前記被試験対象信号に与えることで擬似的故障を発生させる。
【００３２】
このようにして、プリント板内の試験対象信号の論理を意図的に固定することで、各種コンピュータに擬似故障を発生させる。この場合、プリント板内の被試験対象信号に対して、擬似故障を発生させる前に、信号の論理を測定し、その結果と反対の論理を被試験対象信号に与えることができる装置を提供できる。そのため、擬似故障（擬似障害）を確実に発生させることが可能になる。
【００３３】
（ｃ）  ：前記（３）  では、第１のステップにおいて、プリント板内の被試験対象信号に対して、擬似故障を発生させる前に、前記信号の論理を測定する。次に、第２のステップにおいて、前記測定の結果と反対の論理を前記被試験対象信号に与えることで、前記プリント板内の試験対象信号の論理を意図的に固定し、擬似故障を発生させる。
【００３４】
このようにして、プリント板内の試験対象信号の論理を意図的に固定することで、各種コンピュータに擬似障害（擬似故障）を発生させる。この場合、プリント板内の被試験対象信号に対して、擬似故障を発生させる前に、信号の論理を測定し、その結果と反対の論理を被試験対象信号に与えることができる装置を提供できる。そのため、擬似障害を確実に発生させることが可能になる。
【００３５】
【発明の実施の形態】以下、本発明の実施の形態を図面に基づいて詳細に説明する。なお、以下の例は、大型コンピュータに搭載されたプリント板を対象とした例である。
【００３６】
§１：擬似障害発生装置の説明
本発明の擬似障害発生装置は、特に大型コンピュータを対象としてテストを行う場合に有効なものである。この場合、テストの概要は次のようなものである。
【００３７】
▲１▼：コンピュータの実装段階での擬似故障（擬似障害）発生を行う。この場合、擬似故障発生後の動作を検証し、コンピュータの信頼性向上を確認する。
【００３８】
▲２▼：擬似故障を発生させ、二重化機能が動作するか否か、データ化けが発生しないか、等のテストを行い、故障してもコンピュータ（システム）は動き続けるかを検証する（冗長機能の動作確認）。
【００３９】
以下、本発明に係る擬似障害発生装置を詳細に説明する。
【００４０】
（１）  ：擬似障害発生装置全体の構成の説明
図１は擬似障害発生装置の説明図である。図１に示したように、擬似障害発生装置は、擬似障害発生部５１と、擬似故障発生制御部５２と、電圧センス制御部５３と、電圧センス結果受信部５４と、操作パネル５５等で構成されている。そして、前記構成の擬似障害発生装置により、大型コンピュータに搭載された被試験対象プリント板６１（一般的には、複数のプリント板が搭載されている）に対し、擬似障害（具体的には、擬似故障）を発生させる。
【００４１】
前記擬似障害発生部５１は、被試験対象信号の論理を測定し（例えば、障害を発生させるポイントの電位を測定）し、実際に擬似故障を発生させるものである。電圧センス結果受信部５４は、測定した論理の結果を受信し、外部に表示（操作パネル５５の表示手段に表示）するものである。擬似故障発生制御部５２は、擬似故障を起こす時間や擬似故障として与える論理を決定し、制御するものである。
【００４２】
電圧センス制御部５３は、利用者からの指示により被試験対象信号の論理を測定する信号を電圧センス部（後述する）に送信するものである。操作パネル５５は利用者が操作するパネルであり、その一部に、液晶表示パネル等の表示手段が設けてある。
【００４３】
（２）  ：擬似障害発生部の詳細な構成の説明
図２は電圧センサ部の説明図である。図１に示した擬似障害発生部５１の詳細な構成は図２に示した通りである。前記擬似障害発生部５１は、プローブ７１とスイッチ部７２と、電圧センス部７３で構成されている。そして、電圧センス部７３は、Ａ／Ｄコンバータ７４と、論理変化検出部７５と、信号状態判定部７６により構成されている。
【００４４】
前記プローブ７１は被試験対象信号に接続するものである。スイッチ部７２はプローブに論理を与えるものである。電圧センス部７３はプローブの論理を測定し、電圧センス結果受信部５４（図１参照）に送信するものである。また、電圧センス部７３のＡ／Ｄコンバータ７４はセンス結果のアナログ信号をディジタル信号に変換するものである。論理変化検出部７５はセンス結果のディジタル信号から論理変化を検出するものである。信号状態判定部７６は論理変化検出部７５が検出した結果の信号の状態を判定して出力するものである。
【００４５】
（３）  ：擬似障害発生装置全体の動作の説明
以下、図１、２に示した構成の擬似障害発生装置全体の動作を説明する。
【００４６】
先ず、利用者が操作パネル５５を操作して「電圧センス実行」のメニューを指示すると、電圧センス制御部５３から命令（電圧センス実行命令）が送られ、電圧センス部７３で被試験対象信号の論理の測定（障害を発生させるポイントの電位の測定）が開始される。電圧センス部７３は、電圧センス実行命令を受信すると、Ａ／Ｄコンバータ７４で被試験対象信号の電圧測定を開始する。
【００４７】
測定した電圧値は論理変化検出部７５内でサンプリングすることで、電圧の時間的な変化を観測し、論理の閾値を越える電圧の変化があれば、被試験対象信号の論理が変化したと判断する。論理変化検出部７５と、Ａ／Ｄコンバータ７４の出力は、信号状態判定部７６に送られ、後述するルールに基づいて、被試験対象信号の論理を判定し、電圧センス結果受信部５４に送信する。
【００４８】
電圧センス結果受信部５４で電圧センス結果を受信すると、操作パネル５５に設けた結果表示ＬＥＤ（液晶表示パネル）を点灯させることで、利用者に電圧センス結果を伝える。また、電圧センス結果は、擬似故障発生制御部５２にも通知される。
【００４９】
電圧センスにより得られた論理が‘０’であれば、論理‘１’を与える回路を、‘１’であれば、論理‘０’を与える回路を動作させるように、故障発生回路（図示省略）の動作を切り替えて擬似故障発生部５２にスイッチＯＮ／ＯＦＦ（オン／オフ）の制御信号と、論理‘０’／論理‘１’固定の制御信号を送る。擬似故障発生部５２では、上述の２つの制御信号により、被試験対象信号に論理‘１’、若しくは論理‘０’を与える回路（図示省略）を動作させる。
【００５０】
（４）  ：信号状態判定部の判定の説明
図３は信号状態判定部の判定の説明図である。前記信号状態判定部７６では、次のようにして信号状態を判定する。
【００５１】
▲１▼：Ａ／Ｄコンバータ７４の出力＝「論理‘１’」で、論理変化検出部７５での論理変化検出結果＝「論理変化有り」であれば、信号状態（判定結果）＝「論理変化有り」となる。
【００５２】
▲２▼：Ａ／Ｄコンバータ７４の出力＝「論理‘１’」で、論理変化検出部７５での論理変化検出結果＝「論理変化無し」であれば、信号状態（判定結果）＝「論理‘１’」となる。
【００５３】
▲３▼：Ａ／Ｄコンバータ７４の出力＝「論理‘０’」で、論理変化検出部７５での論理変化検出結果＝「論理変化有り」であれば、信号状態（判定結果）＝「論理変化有り」となる。
【００５４】
▲４▼：Ａ／Ｄコンバータ７４の出力＝「論理‘０’」で、論理変化検出部７５での論理変化検出結果＝「論理変化無し」であれば、信号状態（判定結果）＝「論理‘０’」となる。
【００５５】
【発明の効果】以上説明したように、本発明によれば次のような効果がある。
【００５６】
（１）  ：請求項１〜３では、被試験対象信号の論理を測定することで、被試験対象信号に擬似故障として得られた論理と反対の論理を、自動的に与えることが可能になる。その結果、確実にプリント板に対して確実に擬似故障（擬似障害）を与えることが可能になる。
【００５７】
（２）  ：請求項１では、電位検出手段は障害を発生させるポイントの電位を事前に検出する。その後、擬似障害発生手段は、前記電位検出手段により検出した電位と反対の論理の電位を与えることでプリント板に対し擬似的に障害を発生させる。
【００５８】
このようにすれば、プリント板内の試験対象信号の論理を意図的に固定することで、各種コンピュータに擬似障害を発生させることができる。この場合、擬似障害を発生させる前に、障害を発生させるポイントの電位を測定し、その結果と反対の論理の電位を被試験対象信号に与えることで、擬似障害を確実に発生させることが可能になる。
【００５９】
（３）  ：請求項２では、電圧センス部で論理を測定した結果を、擬似故障発生制御手段へ送り、得られた論理と反対の論理を前記被試験対象信号に与えることで擬似的故障を発生させる。
【００６０】
このようにして、プリント板内の試験対象信号の論理を意図的に固定することで、各種コンピュータに擬似故障を発生させる。この場合、プリント板内の被試験対象信号に対して、擬似故障を発生させる前に、信号の論理を測定し、その結果と反対の論理を被試験対象信号に与えることができる装置を提供できる。そのため、擬似故障（擬似障害）を確実に発生させることが可能になる。
【００６１】
（４）  ：請求項３では、第１のステップにおいて、プリント板内の被試験対象信号に対して、擬似故障を発生させる前に、前記信号の論理を測定する。次に、第２のステップにおいて、前記測定の結果と反対の論理を前記被試験対象信号に与えることで、前記プリント板内の試験対象信号の論理を意図的に固定し、擬似故障を発生させる。
【００６２】
このようにして、プリント板内の試験対象信号の論理を意図的に固定することで、各種コンピュータに擬似障害（擬似故障）を発生させる。この場合、プリント板内の被試験対象信号に対して、擬似故障を発生させる前に、信号の論理を測定し、その結果と反対の論理を被試験対象信号に与えることができる装置を提供できる。そのため、擬似障害を確実に発生させることが可能になる。
【図面の簡単な説明】
【図１】本発明の実施の形態における擬似障害発生装置の説明図である。
【図２】本発明の実施の形態における電圧センサ部の説明図である。
【図３】本発明の実施の形態における信号状態判定部の判定の説明図である。
【図４】従来例１の説明図である。
【図５】従来例２の説明図である。
【符号の説明】
３  制御信号
１０  電子部品
１１  操作者
１２  操作部
１３  外部コンピュータ
１４  通信インターフェース部
１５  制御部
１６  送信部
１７  受信部
１８  ドライブ制御部
１９  ドライブ回路部
９ａ  スイッチ制御部
９ｂ  記憶部
９ｃ  設定部
１０  スイッチ部
１１  接続部
１２  外部入力
１３  外部入力線
１４  故障発生信号転送線
１５  タイミング設定信号転送線
１６  スイッチ制御信号転送線
５１  擬似故障発生部
５２  擬似故障発生制御部
５３  電圧センス制御部
５４  電圧センス結果受信部
５５  操作パネル
６１  被試験対象プリント板
７１  プローブ
７２  スイッチ部
７３  電圧センス部
７４  Ａ／Ｄコンバータ（アナログ／ディジタルコンバータ）
７５  論理変化検出部
７６  信号状態判定部
【図１】
2004178230.tif 000003
【図２】
2004178230.tif 000004
【図３】
2004178230.tif 000005
【図４】
2004178230.tif 000006
【図５】
2004178230.tif 000007